(57)【要約】【課題】リモートコントローラにおいて、簡素で安価な構成により、１台のリモートコントローラで複数台の電子機器を制御できるようにする。【解決手段】リモートコントローラ１は、操作部１１と、無線ＬＡＮモジュール１３と、リモートコントローラ１の動作を制御するためのプログラムを記憶するメモリ１５と、メモリ１５に記憶されているプログラムに基いてリモートコントローラ１の動作を制御するＣＰＵ１６とを備えている。リモートコントローラ１は、無線ＬＡＮモジュール１３により複数の電子機器の各々との間で無線による通信を行って、複数の電子機器の各々に対してＩＰアドレスを割当てる。そして、リモートコントローラ１は、操作部１１により機器動作指示操作がなされると、その電子機器を制御するための制御コマンドを、その電子機器に対して割当てたＩＰアドレス宛に、無線ＬＡＮモジュール１３により無線によって送信する。【選択図】図３
2009044621.tif 000002
【特許請求の範囲】
【請求項１】
電子機器を制御するための制御コマンドを無線によって送信することにより、電子機器を遠隔制御するリモートコントローラにおいて、
ユーザにより操作される操作部と、
無線によって通信を行うための無線ＬＡＮモジュールと、
電子機器を制御するための制御コマンドを前記無線ＬＡＮモジュールにより無線によって送信する制御コマンド送信手段と、
前記無線ＬＡＮモジュールにより複数の電子機器の各々との間で無線による通信を行って、複数の電子機器の各々に対してＩＰアドレスを割当てるアドレス割当手段とを備え、
前記制御コマンド送信手段は、
前記操作部により、複数の電子機器のうちのいずれかの電子機器を動作させるための機器動作指示操作がなされると、
その電子機器を制御するための制御コマンドを、その電子機器に対して前記アドレス割当手段により割当てたＩＰアドレス宛に、前記無線ＬＡＮモジュールにより無線によって送信する、
ことを特徴とするリモートコントローラ。
【請求項２】
画像を表示するための画像表示部と、
前記無線ＬＡＮモジュールにより電子機器との間で無線による通信を行って、電子機器から情報を取得し、その取得した情報を前記画像表示部により表示する情報表示手段と、
をさらに備えることを特徴とする請求項１に記載のリモートコントローラ。
【請求項３】
前記制御コマンド送信手段は、
前記操作部により、複数の電子機器のうちのいずれかの電子機器に対して、電子機器を動作させるための機器動作指示操作がなされたとき、
その電子機器を制御するための制御コマンドを、その電子機器に対して前記アドレス割当手段により割当てたＩＰアドレス宛に、前記無線ＬＡＮモジュールにより無線によって送信することに加え、
別の電子機器を連動して動作させるために、別の電子機器を制御するための制御コマンドを、その別の電子機器に対して前記アドレス割当手段により割当てたＩＰアドレス宛に、前記無線ＬＡＮモジュールにより無線によって送信する、
ことを特徴とする請求項２に記載のリモートコントローラ。
【請求項４】
有線ネットワークに接続可能であり、有線ネットワークを介して通信を行うための有線通信モジュールをさらに備え、
前記制御コマンド送信手段は、
前記有線通信モジュールにより、複数の電子機器のうちのいずれかの電子機器を動作させるための機器動作指示信号を受信すると、
その電子機器を制御するための制御コマンドを、その電子機器に対して前記アドレス割当手段により割当てたＩＰアドレス宛に、前記無線ＬＡＮモジュールにより無線によって送信する、
ことを特徴とする請求項３に記載のリモートコントローラ。
【発明の詳細な説明】
【技術分野】
【０００１】
本発明は、電子機器を遠隔制御するリモートコントローラに関するものである。
【背景技術】
【０００２】
従来から、例えばテレビジョン受像機やＡＶ機器などの電子機器を遠隔制御するリモートコントローラにおいて、電子機器を制御するための制御コマンドを赤外線によって送信することにより、電子機器を遠隔制御するようにしたものがある。一般的に、このようなリモートコントローラは、各電子機器に対して、専用のものが付属して設けられている。このため、例えば家庭内において複数台の電子機器がある場合には、各電子機器に対応して複数台のリモートコントローラが存在することになり、電子機器を使用するとき、複数台存在するリモートコントローラの中から、使用しようとする電子機器に対応するリモートコントローラを探し出して操作しなければならず、利便性が悪かった。
【０００３】
そこで、１台のリモートコントローラで複数台の電子機器を制御できるようにしたものが知られている（例えば特許文献１乃至特許文献３参照）。特許文献１及び特許文献２に記載の構成では、リモートコントローラは、複数台の電子機器と有線により接続されたアクセスポイントに対して、電子機器を特定する特定情報と制御コマンドを無線（電波）によって送信することにより、アクセスポイントを介して各電子機器を制御するようになっている。各電子機器は、各電子機器に与えられたＩＰアドレスにより特定されるようになっており、各電子機器のＩＰアドレスは、複数台の電子機器と有線により接続されたルータによって与えられるようになっている。また、特許文献３に記載の構成では、リモートコントローラは、各電子機器に対して、制御コマンドを異なる周波数の無線によって送信することにより、各電子機器を制御するようになっている。すなわち、各電子機器は、制御コマンドの無線送信周波数により特定されるようになっている。
【特許文献１】特開２００６−３１８３２９号公報
【特許文献２】特開２００６−３４５４７９号公報
【特許文献３】実用新案登録第３１３００８１号公報
【発明の開示】
【発明が解決しようとする課題】
【０００４】
ところが、上述した特許文献１及び特許文献２に記載の構成においては、リモートコントローラ及び電子機器以外に、別途、アクセスポイントやルータが必要であり、また、複数台の電子機器、アクセスポイント、及びルータを有線により接続するための通信ケーブルも必要である。従って、このような構成では、構成が複雑になると共に高価になる。また、特許文献３に記載の構成では、複数の異なる周波数で無線通信する手段が必要であり、高価になる。
【０００５】
本発明は、上記課題を解決するためになされたものであり、簡素で安価な構成により、１台のリモートコントローラで複数台の電子機器を制御することができるリモートコントローラを提供することを目的とする。
【課題を解決するための手段】
【０００６】
上記目的を達成するために請求項１の発明は、電子機器を制御するための制御コマンドを無線によって送信することにより、電子機器を遠隔制御するリモートコントローラにおいて、ユーザにより操作される操作部と、無線によって通信を行うための無線ＬＡＮモジュールと、電子機器を制御するための制御コマンドを前記無線ＬＡＮモジュールにより無線によって送信する制御コマンド送信手段と、前記無線ＬＡＮモジュールにより複数の電子機器の各々との間で無線による通信を行って、複数の電子機器の各々に対してＩＰアドレスを割当てるアドレス割当手段とを備え、前記制御コマンド送信手段は、前記操作部により、複数の電子機器のうちのいずれかの電子機器を動作させるための機器動作指示操作がなされると、その電子機器を制御するための制御コマンドを、その電子機器に対して前記アドレス割当手段により割当てたＩＰアドレス宛に、前記無線ＬＡＮモジュールにより無線によって送信するものである。
【０００７】
請求項２の発明は、請求項１に記載のリモートコントローラにおいて、画像を表示するための画像表示部と、前記無線ＬＡＮモジュールにより電子機器との間で無線による通信を行って、電子機器から情報を取得し、その取得した情報を前記画像表示部により表示する情報表示手段と、をさらに備えるものである。
【０００８】
請求項３の発明は、請求項２に記載のリモートコントローラにおいて、前記制御コマンド送信手段は、前記操作部により、複数の電子機器のうちのいずれかの電子機器に対して、電子機器を動作させるための機器動作指示操作がなされたとき、その電子機器を制御するための制御コマンドを、その電子機器に対して前記アドレス割当手段により割当てたＩＰアドレス宛に、前記無線ＬＡＮモジュールにより無線によって送信することに加え、別の電子機器を連動して動作させるために、別の電子機器を制御するための制御コマンドを、その別の電子機器に対して前記アドレス割当手段により割当てたＩＰアドレス宛に、前記無線ＬＡＮモジュールにより無線によって送信するものである。
【０００９】
請求項４の発明は、請求項３に記載のリモートコントローラにおいて、有線ネットワークに接続可能であり、有線ネットワークを介して通信を行うための有線通信モジュールをさらに備え、前記制御コマンド送信手段は、前記有線通信モジュールにより、複数の電子機器のうちのいずれかの電子機器を動作させるための機器動作指示信号を受信すると、その電子機器を制御するための制御コマンドを、その電子機器に対して前記アドレス割当手段により割当てたＩＰアドレス宛に、前記無線ＬＡＮモジュールにより無線によって送信するものである。
【発明の効果】
【００１０】
請求項１の発明によれば、リモートコントローラは、電子機器を、各電子機器に割当てられたＩＰアドレスにより特定して制御することができる。すなわち、各電子機器のＩＰアドレスに基いて、１台のリモートコントローラで複数台の電子機器を制御することができる。しかも、リモートコントローラが各電子機器との間で無線による通信を行って各電子機器のＩＰアドレスを割当てるため、ルータや有線の通信ケーブルを必要とせず、また、ＩＰアドレスにより各電子機器を特定するため、複数の異なる周波数で無線通信する手段も必要としない。従って、簡素で安価な構成により、１台のリモートコントローラで複数台の電子機器を制御することができる。
【００１１】
請求項２の発明によれば、電子機器から取得した情報がリモートコントローラの画像表示部に表示されるため、画像表示部に表示される電子機器から取得した情報を基に、リモートコントローラを操作して電子機器を制御することができ、利便性が向上する。
【００１２】
請求項３の発明によれば、リモートコントローラの１回の機器動作指示操作によって、１つの電子機器の動作に連動して別の電子機器を動作させることができ、利便性が向上する。
【００１３】
請求項４の発明によれば、リモートコントローラを有線ネットワークに接続しておけば、外出先の例えばＩＰ電話等の通信端末から有線ネットワークを介してリモートコントローラに機器動作指示信号を送信することにより、外出先からリモートコントローラを機能させて電子機器を制御することができ、利便性が向上する。
【発明を実施するための最良の形態】
【００１４】
以下、本発明を具体化した実施形態によるリモートコントローラについて図面を参照して説明する。図１は、本実施形態によるリモートコントローラを含む家庭内無線ＬＡＮの構成例を示す。家庭内無線ＬＡＮ１００は、リモートコントローラ１と複数の電子機器２により構成されている。図示の例では、複数の電子機器２は、テレビジョン受像機２ａ、ＤＶＤレコーダ２ｂ、オーディオ機器２ｃ、及び空調機器２ｄとなっている。
【００１５】
テレビジョン受像機２ａは、放送局から配信されるテレビ放送信号を受信して、テレビ番組を再生する機器であり、ＤＶＤレコーダ２ｂは、放送局から配信されるテレビ放送信号を受信して、テレビ番組を録画する機器である。オーディオ機器２ｃは、音楽を再生する機器であり、空調機器２ｄは、空気の温度や湿度を調整する機器である。
【００１６】
これらの各電子機器２（テレビジョン受像機２ａ、ＤＶＤレコーダ２ｂ、オーディオ機器２ｃ、空調機器２ｄ）は、無線（電波）によって通信を行う機能を有しており、電源供給がなされると（例えば、商用電源に接続されると）、自動的に、ＩＰアドレス割当要求を無線によって送信し、そして、無線によってＩＰアドレスの通知を受けると、その通知を受けた（すなわち割当てられた）ＩＰアドレスを記憶するようになっている。また、各電子機器２は、無線によって制御コマンド送信要求を受信すると、電子機器２を制御するための各種制御コマンドの情報を無線によって送信するようになっている。そして、各電子機器２は、無線によって自己のＩＰアドレス宛に制御コマンドを受信すると、その制御コマンドに対応した各種動作を実行するようになっている。
【００１７】
リモートコントローラ１は、電子機器２を遠隔制御する機器である。このリモートコントローラ１は、無線（電波）によって通信を行う機能を有しており、各電子機器２からの無線によるＩＰアドレス割当要求を受けると、各電子機器２に対してＩＰアドレスを割当てて、その割当てたＩＰアドレスを記憶すると共に無線によって各電子機器２に通知するようになっている。また、リモートコントローラ１は、電子機器２にＩＰアドレスを通知した後、自動的に、その電子機器２に対して制御コマンド送信要求を無線により送信し、そして、無線によって各種制御コマンドの情報を受信すると、その受信した各種制御コマンドの情報を記憶するようになっている。そして、リモートコントローラ１は、ユーザによる機器動作指示操作を受けて、電子機器２を制御するための制御コマンドを無線によって電子機器２のＩＰアドレス宛に送信するようになっている。つまり、リモートコントローラ１は、アクセスポイントとなって、各電子機器２を制御するようになっている。
【００１８】
図２は、リモートコントローラ１の構成を示す。リモートコントローラ１は、ユーザにより操作される操作部１１と、画像を表示するための画像表示部であるＬＣＤ（液晶ディスプレイ）１２とを備えている。
【００１９】
操作部１１は、リモートコントローラ１を使用するためにユーザにより押下操作される各種操作ボタンとして、機能ボタン３１ａ、３１ｂ、３１ｃ、３１ｄ、３１ｅ、３１ｆ、３１ｇ、３１ｈ、３１ｉと、カーソルボタン３２と、複数の数字ボタン３３とを有する。
【００２０】
機能ボタン３１ａ〜３１ｉは、電子機器２の選択、電子機器２の各種動作の指示等のために操作されるボタンであり、各々、各ボタンを識別するために「Ａ」「Ｂ」「Ｃ」・・・「Ｈ」「Ｉ」の文字が表記されている。カーソルボタン３２は、ＬＣＤ１２に表示される項目の選択等のために操作されるボタンである。数字ボタン３３は、文字、数字、記号の入力等のために操作されるボタンである。
【００２１】
ＬＣＤ１２は、各電子機器２と機能ボタン３１ａ〜３１ｉとの対応関係や、電子機器２の各種動作と機能ボタン３１ａ〜３１ｉとの対応関係、電子機器２から取得した情報等を含む各種画像を表示する。
【００２２】
図３は、リモートコントローラ１の電気的ブロック構成を示す。リモートコントローラ１は、上述の構成に加え、無線ＬＡＮモジュール１３と、有線通信モジュール１４と、メモリ１５と、リモートコントローラ１の動作を制御するためのＣＰＵ１６等を備えている。
【００２３】
操作部１１は、上述のように、リモートコントローラ１を使用するためにユーザにより押下操作される各種操作ボタンを有しており、各種操作ボタンが押下操作されることにより、その押下操作がＣＰＵ１６により検出される。ＬＣＤ１２は、ＣＰＵ１６による制御のもと、各種画像を表示する。
【００２４】
無線ＬＡＮモジュール１３は、無線によって各電子機器２との間で通信を行うためのものである。無線ＬＡＮモジュール１３は、ＣＰＵ１６による制御のもと、電波によって制御コマンドやＩＰアドレス等を含む各種信号を送受信する。
【００２５】
有線通信モジュール１４は、インターネット等の家庭外の有線ネットワークを介して通信を行うためのものであり、有線ネットワークに接続可能になっている。有線通信モジュール１４は、ＣＰＵ１６による制御のもと、有線ネットワークを介して各種信号を送受信する。
【００２６】
メモリ１５は、リモートコントローラ１の動作を制御するためのプログラムを記憶している。また、メモリ１５は、ＣＰＵ１６による制御のもと、各電子機器２のＩＰアドレスや、各電子機器２を制御するための各種制御コマンド、各電子機器２の動作状況等、各電子機器２を制御するのに必要な各種データ等を記憶する。
【００２７】
ＣＰＵ１６は、メモリ１５に記憶されているプログラムに基いて、各電子機器２へのＩＰアドレスの割当て、電子機器２からの制御コマンドの情報の取得、制御コマンドの電子機器２への送信、電子機器２からの各種情報の取得、電子機器２から取得した各種情報の表示、電子機器２の連動動作等、リモートコントローラ１の各種動作を制御する。メモリ１５（メモリ１５に記憶されているプログラム）及びＣＰＵ１６により、アドレス割当手段、制御コマンド送信手段、及び情報表示手段が構成されている。
【００２８】
電子機器２へのＩＰアドレスの割当ては、電子機器２からのＩＰアドレス割当要求を受信することによって行われる。すなわち、ＣＰＵ１６は、無線ＬＡＮモジュール１３により電子機器２から無線によるＩＰアドレス割当要求を受信すると、ＤＨＣＰ（Dynamic Host Configuration Protocol）機能を実行して、その電子機器２に対してＩＰアドレスを割当て、そして、その割当てたＩＰアドレスをメモリ１５に記憶すると共に、その割当てたＩＰアドレスをその電子機器２に無線ＬＡＮモジュール１３により無線によって送信（通知）する。ＣＰＵ１６は、このように、電子機器２との間で無線による通信を行って、電子機器２にＩＰアドレスを割当てる。
【００２９】
このとき、ＣＰＵ１６は、割当てたＩＰアドレスと機能ボタン３１ａ〜３１ｉとの対応付け（すなわちＩＰアドレスを割当てた電子機器２と機能ボタン３１ａ〜３１ｉとの対応付け）を行って、その対応関係をメモリ１５に記憶する。
【００３０】
電子機器２は、上述のように、電源供給がなされると（例えば、商用電源に接続されると）、自動的に、ＩＰアドレス割当要求を送信し、そして、通知を受けた（すなわち割当てられた）ＩＰアドレスを記憶するようになっている。従って、新たな電子機器２が追加される都度、ＣＰＵ１６は、自動的に、その新たに追加された電子機器２との間で無線による通信を行って、その新たに追加された電子機器２にＩＰアドレスを割当て、また、その新たに追加された電子機器２と機能ボタン３１ａ〜３１ｉとの対応付けを行う。
【００３１】
ＣＰＵ１６は、このように、自動的に、無線ＬＡＮモジュール１３により複数の電子機器２の各々との間で無線による通信を行うことによって、複数の電子機器２の各々に対してＩＰアドレスを割当て、また、複数の電子機器２の各々と機能ボタン３１ａ〜３１ｉとの対応付けを行う。
【００３２】
電子機器２の制御コマンドの情報の取得は、その電子機器２に対してＩＰアドレスを割当てた後、自動的に行われる。すなわち、ＣＰＵ１６は、電子機器２にＩＰアドレスを割当てた後、そのＩＰアドレスを割当てた電子機器２に対して、制御コマンド送信要求を無線ＬＡＮモジュール１３により無線によって送信し、そして、その電子機器２から無線によって送信される各種制御コマンドの情報を無線ＬＡＮモジュール１３により受信して、その受信した各種制御コマンドの情報をメモリ１５に記憶する。ＣＰＵ１６は、このように、電子機器２にＩＰアドレスを割当てた後、電子機器２との間で無線による通信を行って、電子機器２の各種制御コマンドの情報を取得する。
【００３３】
このとき、ＣＰＵ１６は、取得した各種制御コマンドの情報に基いて、各種制御コマンドをその電子機器２のＩＰアドレスと対応付けてメモリ１５に記憶し、また、それらの各種制御コマンドと機能ボタン３１ａ〜３１ｉとの対応付け（すなわち電子機器２の各種動作と機能ボタン３１ａ〜３１ｉとの対応付け）を行って、その対応関係をメモリ１５に記憶する。
【００３４】
ＣＰＵ１６は、ユーザによる操作を待つ操作待ち状態においては、まず、メモリ１５に記憶している電子機器２と機能ボタン３１ａ〜３１ｉとの対応関係に基いて、ＬＣＤ１２に、各電子機器２と操作部１１の機能ボタン３１ａ〜３１ｉとの対応関係を表示する。すなわち、ＣＰＵ１６は、ＬＣＤ１２に、例えば「テレビ→Ａボタン、ＤＶＤ→Ｂボタン、オーディオ→Ｃボタン、空調→Ｄボタン」のように表示する。
【００３５】
これにより、ユーザは、ＬＣＤ１２の表示を見て、各電子機器２と機能ボタン３１ａ〜３１ｉとの対応関係を知ることができ、機能ボタン３１ａ〜３１ｉのいずれかを押下することにより、複数の電子機器２のいずれかを選択することができる。
【００３６】
ＣＰＵ１６は、この操作待ち状態において、機能ボタン３１ａ〜３１ｉのいずれかが押下されると（すなわち複数の電子機器２のいずれかが選択されると）、メモリ１５に記憶している電子機器２の各種動作と機能ボタン３１ａ〜３１ｉとの対応関係に基いて、ＬＣＤ１２に、いずれの電子機器２が選択されているか、及び、選択されている電子機器２の各種動作と機能ボタン３１ａ〜３１ｉとの対応関係を表示する。
【００３７】
すなわち、「Ａ」と表記された機能ボタン３１ａが押下された場合には、複数の電子機器２の中からテレビジョン受像機２ａが選択されたことになり、ＣＰＵ１６は、ＬＣＤ１２に、例えば「選択機器＝テレビ：電源オン／オフ→Ａボタン、音量ＵＰ→Ｂボタン、音量ＤＯＷＮ→Ｃボタン、・・・」のように表示する。また、「Ｂ」と表記された機能ボタン３１ｂが押下された場合には、ＤＶＤレコーダ２ｂが選択されたことになり、ＣＰＵ１６は、ＬＣＤ１２に、例えば「選択機器＝ＤＶＤ：電源オン／オフ→Ａボタン、録画→Ｂボタン、再生→Ｃボタン、・・・」のように表示する。また、「Ｃ」と表記された機能ボタン３１ｃが押下された場合には、オーディオ機器２ｃが選択されたことになり、ＣＰＵ１６は、ＬＣＤ１２に、例えば「選択機器＝オーディオ：電源オン／オフ→Ａボタン、楽曲選択→Ｂボタン、・・・」のように表示し、「Ｄ」と表記された機能ボタン３１ｄが押下された場合には、空調機器２ｄが選択されたことになり、ＣＰＵ１６は、ＬＣＤ１２に、例えば「選択機器＝空調：電源オン／オフ→Ａボタン、温度ＵＰ→Ｂボタン、温度ＤＯＷＮ→Ｃボタン、・・・」のように表示する。
【００３８】
これにより、ユーザは、ＬＣＤ１２の表示を見て、いずれの電子機器２が制御可能な状態にあるのか、及び、電子機器２の各種動作と機能ボタン３１ａ〜３１ｉとの対応関係を知ることができ、機能ボタン３１ａ〜３１ｉのいずれかを押下することにより、電子機器２に対して機器動作を指示することができる。
【００３９】
制御コマンドの電子機器２への送信は、操作部１１により、電子機器２を動作させるための機器動作指示操作がなされることによって、また、有線通信モジュール１４により、電子機器２を動作させるための機器動作指示信号を受信することによって行われる。すなわち、ＣＰＵ１６は、操作部１１により電子機器２が選択されて機器動作指示操作がなされると（つまり、ＬＣＤ１２に各電子機器２と機能ボタン３１ａ〜３１ｉとの対応関係が表示されている状態において機能ボタン３１ａ〜３１ｉが押下されて電子機器２が選択された後、ＬＣＤ１２に電子機器２の各種動作と機能ボタン３１ａ〜３１ｉとの対応関係が表示されている状態において機能ボタン３１ａ〜３１ｉが押下されると）、メモリ１５に記憶している機能ボタン３１ａ〜３１ｉとＩＰアドレスとの対応関係及び機能ボタン３１ａ〜３１ｉと制御コマンドとの対応関係に基いて、その選択された電子機器２に対応するＩＰアドレス宛に、その機器動作指示操作に対応する制御コマンドを、無線ＬＡＮモジュール１３により無線によって送信する。また、ＣＰＵ１６は、有線通信モジュール１４により機器動作指示信号を受信すると（つまり、電子機器２を選択する信号及び動作を指示する信号を受信すると）、その選択された電子機器２に対応するＩＰアドレス宛に、その指示された動作に対応する制御コマンドを、無線ＬＡＮモジュール１３により無線によって送信する。
【００４０】
電子機器２からの各種情報の取得、及び電子機器２から取得した各種情報の表示は、操作部１１により電子機器２の電源をオンにしたときに、自動的に行われる。すなわち、ＣＰＵ１６は、操作部１１が操作されて電子機器２に対して電源をオンにする制御コマンドを無線ＬＡＮモジュール１３により無線によって送信した後、その電子機器２に対して、情報送信要求を無線ＬＡＮモジュール１３により無線によって送信し、そして、その電子機器２から無線によって送信される各種情報を無線ＬＡＮモジュール１３により受信して、その受信した各種情報をＬＣＤ１２に表示する。ＣＰＵ１６は、このように、電子機器２の電源をオンにしたときに、電子機器２との間で無線による通信を行って、電子機器２から各種情報を取得し、その取得した情報をＬＣＤ１２に表示する。
【００４１】
すなわち、電子機器２としてテレビジョン受像機２ａの電源をオンにしたときには、ＣＰＵ１６は、例えば番組名、放送時間、放送チャンネル等を含むチャンネル情報をテレビジョン受像機２ａから取得してＬＣＤ１２に表示する。また、ＤＶＤレコーダ２ｂの電源をオンにしたときには、ＣＰＵ１６は、例えば録画されている番組名等を含む録画情報をＤＶＤレコーダ２ｂから取得してＬＣＤ１２に表示する。また、オーディオ機器２ｃの電源をオンにしたときには、ＣＰＵ１６は、例えば再生可能な音楽の曲名等を含む音楽情報をオーディオ機器２ｃから取得してＬＣＤ１２に表示し、空調機器２ｄの電源をオンにしたときには、ＣＰＵ１６は、例えば設定温度や設定湿度等の設定情報を空調機器２ｄから取得してＬＣＤ１２に表示する。
【００４２】
電子機器２の連動動作の設定は、操作部１１により、連動動作設定操作がなされることによって行われる。連動動作設定操作は、例えば、操作部１１の機能ボタン３１ａ〜３１ｉ、カーソルボタン３２、及び数字ボタン３３を所定の手順で操作して、連動動作の内容（連動動作させる電子機器２、電子機器２の動作内容、電子機器２の動作順序等）を指定することにより行われる。ＣＰＵ１６は、連動動作設定操作を受けて、連動動作の内容をメモリ１５に記憶することにより、連動動作を設定する。
【００４３】
そして、ＣＰＵ１６は、連動動作が設定されている場合に操作部１１により機器動作指示操作がなされると、その電子機器２を制御するための制御コマンドを、その電子機器に対して割当てたＩＰアドレス宛に、無線ＬＡＮモジュール１３により無線によって送信することに加え、連動動作の設定内容に応じて、別の電子機器２を連動して動作させるために、別の電子機器２を制御するための制御コマンドを、その別の電子機器２に対して割当てたＩＰアドレス宛に、無線ＬＡＮモジュール１３により無線によって送信する。
【００４４】
すなわち、例えば、ＤＶＤレコーダ２ｂの電源をオンにしたときにテレビジョン受像機２ａの電源をオンにするように連動動作が設定されている場合には、ＣＰＵ１６は、操作部１１によりＤＶＤレコーダ２ｂの電源をオンにする機器動作指示操作がなされると、ＤＶＤレコーダ２ｂのＩＰアドレス宛に電源をオンにする制御コマンドを無線ＬＡＮモジュール１３により無線によって送信し、さらに、テレビジョン受像機２ａのＩＰアドレス宛に電源をオンにする制御コマンドを無線ＬＡＮモジュール１３により無線によって送信する。また、例えば、テレビジョン受像機２ａの電源をオフにしたときに空調機器２ｄの電源をオフにするように連動動作が設定されている場合には、ＣＰＵ１６は、操作部１１によりテレビジョン受像機２ａの電源をオフにする機器動作指示操作がなされると、テレビジョン受像機２ａのＩＰアドレス宛に電源をオフにする制御コマンドを無線ＬＡＮモジュール１３により無線によって送信し、さらに、空調機器２ｄのＩＰアドレス宛に電源をオフにする制御コマンドを無線ＬＡＮモジュール１３により無線によって送信する。
【００４５】
このような構成のリモートコントローラ１によれば、複数台の電子機器２を、各電子機器２に割当てられたＩＰアドレスにより特定して制御することができる。すなわち、各電子機器２のＩＰアドレスに基いて、１台のリモートコントローラ１で複数台の電子機器２を制御することができる。しかも、リモートコントローラ１が各電子機器２との間で無線による通信を行って各電子機器２のＩＰアドレスを割当てるため、ルータや有線の通信ケーブルを必要とせず、また、ＩＰアドレスにより各電子機器を特定するため、複数の異なる周波数で無線通信する手段も必要としない。従って、簡素で安価な構成により、１台のリモートコントローラ１で複数台の電子機器２を制御することができる。
【００４６】
また、電子機器２から取得した情報がリモートコントローラ１のＬＣＤ１２に表示されるため、ＬＣＤ１２に表示される電子機器２から取得した情報を基に、リモートコントローラ１を操作して電子機器２を制御することができ、利便性が向上する。
【００４７】
また、複数の電子機器２が連動して動作するように連動動作を設定しておくことにより、リモートコントローラ１の１回の機器動作指示操作によって、１つの電子機器２の動作に連動して別の電子機器２を動作させることができ、利便性が向上する。
【００４８】
また、リモートコントローラ１を有線ネットワークに接続しておけば、外出先の例えばＩＰ電話等の通信端末から有線ネットワークを介してリモートコントローラ１に機器動作指示信号を送信することにより、外出先からリモートコントローラ１を機能させて電子機器２を制御することができ、利便性が向上する。
【００４９】
なお、本発明は、上記実施形態の構成に限られず、種々の変形が可能である。例えば、電子機器の制御コマンドの情報は、電子機器との間で無線による通信を行って取得する以外に、最初からメモリに記憶されていてもよい。電子機器からの各種情報の取得、及び電子機器から取得した各種情報の表示は、電子機器の電源をオンにしたときに行う以外に、機能ボタンを押下して電子機器を選択したときに行ってもよく、また、所定の操作が行われたときに行ってもよい。
【図面の簡単な説明】
【００５０】
【図１】本発明の一実施形態に係るリモートコントローラを含む家庭内無線ＬＡＮの概略構成を示す図。
【図２】同リモートコントローラの構成を示す平面図。
【図３】同リモートコントローラの電気的ブロック構成図。
【符号の説明】
【００５１】
１    リモートコントローラ
２    電子機器
２ａ    テレビジョン受像機
２ｂ    ＤＶＤレコーダ
２ｃ    オーディオ機器
２ｄ    空調機器
１１    操作部
１２    ＬＣＤ（画像表示部）
１３    無線ＬＡＮモジュール
１４    有線通信モジュール
１５    メモリ（制御コマンド送信手段、アドレス割当手段、情報表示手段）
１６    ＣＰＵ（制御コマンド送信手段、アドレス割当手段、情報表示手段）
３１ａ〜３１ｉ    機能ボタン
３２    カーソルボタン
３３    数字ボタン
１００    家庭内無線ＬＡＮ
【図１】
2009044621.tif 000003
【図２】
2009044621.tif 000004
【図３】
2009044621.tif 000005